(57)【特許請求の範囲】
【請求項１】
入力された配信信号を一部分岐する分岐手段と、
該分岐手段で分岐された配信信号から、自局宛の制御信号を抽出して、抽出した制御信号が所定の周波数帯域の視聴をオフする制御信号の場合に第１のレベルと第２のレベルを周期的に繰り返す第１レベル制御信号を出力し、抽出した制御信号が視聴をオンする制御信号の場合に一定レベルとされる第２レベル制御信号を出力する制御手段と、
前記分岐手段を介した前記配信信号から前記所定の周波数帯域の視聴信号を抽出する抽出手段と、
該抽出手段で抽出された前記所定の周波数帯域の視聴信号のレベルを、前記制御手段からのレベル制御信号により調整可能なレベル調整手段とを備え、
前記レベル調整手段は、前記第１レベル制御信号を受けた際に前記所定の周波数帯域の視聴信号を前記第１レベル制御信号の周期で周期的に１０ｄＢ〜２０ｄＢのレベル変動差となるようレベル変動させて出力し、前記第２レベル制御信号を受けた際に前記所定の周波数帯域の視聴信号を前記第２レベル制御信号に応じたレベルとして出力することを特徴とする映像配信用伝送機器。
【請求項２】
入力された配信信号を一部分岐する分岐手段と、
該分岐手段で分岐された配信信号から、自局宛の制御信号を抽出して、抽出した制御信号に対応するレベル制御信号を出力する制御手段と、
前記分岐手段を介した前記配信信号から第１周波数帯域の視聴信号を抽出する第１抽出手段と、該第１周波数帯域の視聴信号のレベルを、前記制御手段からの前記レベル制御信号により調整可能な第１レベル調整手段とからなる第１レベル調整系と、
前記分岐手段を介した前記配信信号から第２周波数帯域の視聴信号を抽出する第２抽出手段と、該第２周波数帯域の視聴信号のレベルを、前記制御手段からの前記レベル制御信号により調整可能な第２レベル調整手段とからなる第２レベル調整系と、
前記第１レベル調整系からの出力と、前記第２レベル調整系からの出力とを混合して出力する出力手段とを備え、
前記制御手段は、前記第１周波数帯域の視聴をオフする制御信号の場合に第１のレベルと第２のレベルを周期的に繰り返す第１レベル制御信号を前記第１レベル調整手段に印加して、前記第１周波数帯域の前記視聴信号を前記第１レベル制御信号の周期で周期的に１０ｄＢ〜２０ｄＢのレベル変動差となるようレベル変動させて出力し、制御信号が前記第１周波数帯域の視聴をオンする制御信号の場合に一定レベルとされる第２レベル制御信号を前記第１レベル調整手段に印加して、前記第１周波数帯域の前記視聴信号を前記第２レベル制御信号に応じたレベルとして出力し、
前記制御手段は、前記第２周波数帯域の視聴をオフする制御信号の場合に第１のレベルと第２のレベルを周期的に繰り返す第１レベル制御信号を前記第２レベル調整手段に印加して、前記第２周波数帯域の前記視聴信号を前記第１レベル制御信号の周期で周期的に１０ｄＢ〜２０ｄＢのレベル変動差となるようレベル変動させて出力し、制御信号が前記第２周波数帯域の視聴をオンする制御信号の場合に一定レベルとされる第２レベル制御信号を前記第２レベル調整手段に印加して、前記第２周波数帯域の前記視聴信号を前記第２レベル制御信号に応じたレベルとして出力することを特徴とする映像配信用伝送機器。
【請求項３】
前記第１レベル制御信号は、所定の周波数で発振する発振回路からの矩形波とされていることを特徴とする請求項１または２記載の映像配信用伝送機器。
【請求項４】
前記レベル調整手段からの出力を増幅して出力する増幅手段が設けられており、前記制御手段が前記制御信号を受信できないときは、前記制御手段が前記増幅手段の電源を断とすることを特徴とする請求項１記載の映像配信用伝送機器。
【請求項５】
前記出力手段には、出力を増幅して出力する増幅手段が設けられており、前記制御手段が前記制御信号を受信できないときは、前記制御手段が前記増幅手段の電源を断とすることを特徴とする請求項２記載の映像配信用伝送機器。
【発明の詳細な説明】
【技術分野】
【０００１】
本発明は、視聴制限の制御を行うことができる映像配信用伝送機器に関する。
【背景技術】
【０００２】
ＣＡＴＶにおいては、従来、映像、音声の制限は、加入者宅に設置される映像配信用伝送機器を利用して行っている。この映像配信用伝送機器では、ＣＡＴＶセンターから送信されて来たＴＶ信号の内のＴＶ信号出力そのものを視聴制限に対応してＯＮ／ＯＦＦし、映像配信用伝送機器に接続されているＴＶ受信機に視聴制限されたＴＶ信号を伝えないようにすることが行われている。この仕組みはＣＡＴＶのセンターにＦＳＫ（Frequency Shift Keying）送信機を設置して、それぞれ個別の識別情報を持った映像配信用伝送機器毎に向けた制御信号を、放送帯域の少し下の周波数とされる７０〜７６ＭＨｚで、他のＴＶ放送信号と混合し送信する。映像配信用伝送機器は、センターから送信されて来たＴＶ信号に混合されている制御信号から、自局の識別情報が付加されている制御信号を抽出して、その制御信号に応じてＴＶ信号出力をＯＮ／ＯＦＦさせる制御を行う。これにより、視聴制限された加入者の視聴制限制御を行うことができる。
【０００３】
このような視聴制限を行うことができる従来の映像配信用伝送機器の回路構成の一例を図５に示す。
図５に示す映像配信用伝送機器１００において、ＣＡＴＶセンターから配信される配信信号はＴＶ信号に視聴制限用の制御信号が混合されており、光ファイバ１１０を介して各加入者宅へ光信号として配信される。加入者宅に引き込まれた光ファイバ１１０を伝播してきた光信号は映像配信用伝送機器１００に入力され、フォトダイオード（ＰＤ）１１１により電気信号に変換される。変換された電気信号とされた配信信号は、増幅器（ＡＭＰ）１１３により増幅されて自動利得制御部（ＡＧＣ）１１４において所定レベルになるようレベル制御される。この場合、ＰＤ１１１から出力される配信信号のレベルがＡＧＣ回路１１２により検出され、ＡＧＣ回路１１２は検出した配信信号のレベルに応じたレベル制御信号をＡＧＣ１１４に送る。ＡＧＣ１１４は、レベル制御信号に応じてＡＭＰ１１３からの配信信号のレベルを制御する。ＡＧＣ１１４により所定レベルとされたＴＶ信号は、分岐器１１５を介してハイパスフィルタ（ＨＰＦ）１１６とローパスフィルタ（ＬＰＦ）１２２に供給されると共に、分岐器１１５により分岐された配信信号の一部がＦＳＫ信号受信部１２９に入力される。
【０００４】
ＨＰＦ１１６ではＢＳ／ＣＳ−ＩＦの周波数帯のＴＶ信号が抽出され、抽出されたＢＳ／ＣＳ−ＩＦ系のＴＶ信号は、利得制御部（ＧＣ）１１７において所定レベルとなるようレベル制御されて、３段のＡＭＰ１１８，ＡＭＰ１１９，ＡＭＰ１２０で増幅される。ＡＭＰ１２０からの増幅されたＢＳ／ＣＳ−ＩＦ系のＴＶ信号は、ＨＰＦ１２１において不要波成分が除去されて出力される。また、ＬＰＦ１２２ではＶ／ＵＨＦの周波数帯のＴＶ信号が抽出され、抽出されたＶ／ＵＨＦ系のＴＶ信号は、利得制御部（ＧＣ）１２３において所定レベルとなるようレベル制御されて、３段のＡＭＰ１２４，ＡＭＰ１２５，ＡＭＰ１２６で増幅される。ＡＭＰ１２６からの増幅されたＶ／ＵＨＦ系のＴＶ信号は、ＬＰＦ１２７において不要波成分が除去されて出力される。
ＨＰＦ１２１から出力されるＢＳ／ＣＳ−ＩＦ系のＴＶ信号と、ＬＰＦ１２７から出力されるＶ／ＵＨＦ系のＴＶ信号とは混合されて出力端子ＯＵＴ１２８から出力される。出力端子ＯＵＴ１２８にはＴＶ受像機が接続される。
【０００５】
分岐器１１５からの分岐出力が入力されるＦＳＫ信号受信部１２９では、ＴＶ信号に混合されたＴＶ信号の帯域より低い帯域の視聴制限用の制御信号のみを受信して、その制御信号を復調する。復調された制御信号は解析部ＣＰＵ１３０に供給され、解析部ＣＰＵ１３０において自局の識別情報が付加された自局宛の制御信号が抽出されて、抽出された制御信号が制御部１３１に供給される。自局宛の制御信号がＢＳ／ＣＳ−ＩＦ系のＴＶ信号の視聴をＯＦＦする制御信号の場合は、制御部１３１は、ＧＣ１１７に減衰量を大きくする制御信号を送る。これにより、ＢＳ／ＣＳ−ＩＦ系のＴＶ信号がＧＣ１１７により減衰されてＨＰＦ１２０からは出力されないようになる。また、自局宛の制御信号がＶ／ＵＨＦ系のＴＶ信号の視聴をＯＦＦする制御信号の場合は、制御部１３１は、ＧＣ１２３に減衰量を大きくする制御信号を送る。これにより、Ｖ／ＵＨＦ系のＴＶ信号はＧＣ１２３により減衰されてＬＰＦ１２７からは出力されないようになる。さらに、自局宛の制御信号がＢＳ／ＣＳ−ＩＦ系やＶ／ＵＨＦ系のＴＶ信号の視聴をＯＮする制御信号の場合は、ＧＣ１１７やＧＣ１２３に減衰量を大きくする制御信号は送られず、ＢＳ／ＣＳ−ＩＦ系やＶ／ＵＨＦ系のＴＶ信号は減衰されることなく通常通りに出力される。
【先行技術文献】
【特許文献】
【０００６】
【特許文献１】特開２００８−９２４９９号公報
【発明の概要】
【発明が解決しようとする課題】
【０００７】
従来の視聴制限を行える映像配信用伝送機器１００では、フィルタで抜き出せる帯域（Ｖ／ＵＨＦ帯あるいはＢＳ／ＣＳ−ＩＦ帯）のＴＶ信号を切断させるかパスさせるかの制御と、全帯域を通過させる制御を行うことができる。この場合、ＴＶ信号を切断するといっても完全に遮断することはコストパフォーマンスから考えて現実的ではなく、６０ｄＢ程度の減衰量をＴＶ信号に与え、これによりＴＶ信号を切断することで妥協せざるを得ない。しかし、ＢＳ／ＣＳ−ＩＦ帯のように周波数が高くなり、特に２６００ＭＨｚの周波数になると映像配信用伝送機器１００の回路における浮遊容量の影響や、回路等から空間に信号が放射される影響で遮断するＴＶ信号に十分な減衰量を与えることが困難になっている。このように、十分な減衰量を遮断するＴＶ信号に与えられない場合は、映像配信用伝送機器１００の後にブースタを設けてブースタにより増幅されたＴＶ信号をＴＶ受信機に入力することにより、映像配信用伝送機器１００で遮断制御されたＴＶ信号であっても視聴可能になる恐れがあるという問題点があった。
また、映像配信用伝送機器１００のＧＣ１１７，ＧＣ１２３ではＴＶ信号を減衰させるためにＰＩＮダイオードを用いている。すなわち、視聴をＯＦＦする制御信号によりＰＩＮダイオードによりＴＶ信号を減衰させている。しかしながら、ＰＩＮダイオードでは減衰量が十分に得られないため、ＡＭＰ１１８〜ＡＭＰ１２０やＡＭＰ１２４〜ＡＭＰ１２６の電源を断して動作を止めたり、ＴＶ信号の伝達経路に開閉されるリレー接点を挿入したりする減衰手段を併用することにより、減衰量を稼ぐ必要があった。さらに、帯域別に減衰量を制御する場合は帯域ごとに減衰させる回路が必要になり、回路が複雑になってしまうという問題点があった。
そこで、本発明は、簡易な回路により視聴制限することのできる映像配信用伝送機器を提供することを目的としている。
【課題を解決するための手段】
【０００８】
本発明の映像配信用伝送機器は、入力された配信信号を一部分岐する分岐手段と、該分岐手段で分岐された配信信号から、自局宛の制御信号を抽出して、抽出した制御信号が所定の周波数帯域の視聴をオフする制御信号の場合に第１のレベルと第２のレベルを周期的に繰り返す第１レベル制御信号を出力し、抽出した制御信号が視聴をオンする制御信号の場合に一定レベルとされる第２レベル制御信号を出力する制御手段と、前記分岐手段を介した前記配信信号から前記所定の周波数帯域の視聴信号を抽出する抽出手段と、該抽出手段で抽出された前記所定の周波数帯域の視聴信号のレベルを、前記制御手段からのレベル制御信号により調整可能なレベル調整手段とを備え、前記レベル調整手段は、前記第１レベル制御信号を受けた際に前記所定の周波数帯域の視聴信号を前記第１レベル制御信号の周期で周期的に１０ｄＢ〜２０ｄＢのレベル変動差となるようレベル変動させて出力し、前記第２レベル制御信号を受けた際に前記所定の周波数帯域の視聴信号を前記第２レベル制御信号に応じたレベルとして出力することを最も主要な特徴としている。
【発明の効果】
【０００９】
本発明によれば、視聴をオフする制御信号の場合に視聴信号のレベルを第１のレベルと第２のレベルを周期的に繰り返す第１レベル制御信号の周期で周期的に１０ｄＢ〜２０ｄＢのレベル変動差となるようレベル変動させて出力することで、ＴＶ受像機において視聴することができないようになる。これは、ＴＶ受像機にはレベル変動を吸収するためのＡＧＣ回路が内蔵されており、このＡＧＣ回路はゆっくりとしたレベル変動に追従する時定数とされていることから、第１レベル制御信号の周期で周期的に１０ｄＢ〜２０ｄＢのレベル変動差となるようレベル変動された視聴信号のレベル変動に追従することができないからである。
【図面の簡単な説明】
【００１０】
【図１】本発明の実施例にかかる映像配信用伝送機器の構成を示すブロック回路図である。
【図２】本発明にかかる映像配信用伝送機器の制御部およびレベル調整部の構成を示す回路図である。
【図３】本発明にかかる映像配信用伝送機器の制御部およびレベル調整部の制御動作を示す図表である。
【図４】本発明にかかる映像配信用伝送機器のレベル制御の減衰量の周波数特性を示す図である。
【図５】従来の映像配信用伝送機器の構成を示すブロック回路図である。
【発明を実施するための形態】
【００１１】
本発明の実施例にかかる映像配信用伝送機器１の構成を示すブロック回路図を図１に示す。
図１に示す本発明にかかる映像配信用伝送機器１において、ＣＡＴＶセンターから配信される配信信号はＴＶ信号に視聴制限用の制御信号が混合されており、光ファイバ１０を介して各加入者宅へ光信号として配信される。加入者宅に引き込まれた光ファイバ１０を伝播してきた光信号は映像配信用伝送機器１に入力され、フォトダイオード（ＰＤ）１１により電気信号に変換される。ＰＤ１１により変換された電気信号とされた配信信号は、増幅器（ＡＭＰ）１３により増幅されて自動利得制御部（ＡＧＣ）１４において所定レベルになるようレベル制御される。この場合、ＰＤ１１から出力される配信信号のレベルがＡＧＣ回路１２により検出され、ＡＧＣ回路１２は検出した配信信号のレベルに応じたレベル制御信号をＡＧＣ１４に送る。ＡＧＣ１４は、レベル制御信号に応じてＡＭＰ１３からの配信信号のレベルを制御する。ＡＧＣ１４により所定レベルとされたＴＶ信号は、分岐器１５を介してハイパスフィルタ（ＨＰＦ）１９とローパスフィルタ（ＬＰＦ）２２に供給されると共に、分岐器１５により分岐された配信信号の一部がＦＳＫ信号受信部１６に入力される。
【００１２】
ＨＰＦ１９ではＢＳ／ＣＳ−ＩＦの周波数帯のＴＶ信号が抽出され、抽出されたＢＳ／ＣＳ−ＩＦ系のＴＶ信号は、レベル調整部２０においてレベル制御されて、ＨＰＦ２１で不要波成分が除去されて出力される。また、ＬＰＦ２２ではＶ／ＵＨＦの周波数帯のＴＶ信号が抽出され、抽出されたＶ／ＵＨＦ系のＴＶ信号は、レベル調整部２３においてレベル制御されて、ＬＰＦ１２７で不要波成分が除去されて出力される。ＨＰＦ２１から出力されるＢＳ／ＣＳ−ＩＦ系のＴＶ信号と、ＬＰＦ２４から出力されるＶ／ＵＨＦ系のＴＶ信号とは混合されて３段縦続された増幅器であるＡＭＰ２５，ＡＭＰ２６，ＡＭＰ２７で増幅される。ＡＭＰ２７からの増幅されたＢＳ／ＣＳ−ＩＦ系とＶ／ＵＨＦ系とが混合されたＴＶ信号は、出力端子（ＯＵＴ）２８から出力される。ＯＵＴ２８にはＴＶ受像機が接続される。
なお、ＨＰＦ１９，レベル調整部２０，ＨＰＦ２１によりＢＳ／ＣＳ−ＩＦ系のＴＶ信号のレベルを制御する第１レベル調整系が構成され、ＬＰＦ２２，レベル調整部２３，ＬＰＦ２４によりＶ／ＵＨＦ系のＴＶ信号のレベルを制御する第２レベル調整系が構成されている。
【００１３】
分岐器１５からの分岐出力が入力されるＦＳＫ信号受信部１６では、ＴＶ信号に混合されたＴＶ信号の帯域より低い帯域の視聴制限用の制御信号のみを受信して、その制御信号を復調する。復調された制御信号は解析部ＣＰＵ１７に供給され、解析部ＣＰＵ１７において自局の識別情報が付加された自局宛の制御信号が抽出されて、抽出された制御信号が制御部１８に供給される。自局宛の制御信号がＢＳ／ＣＳ−ＩＦ系のＴＶ信号の視聴をＯＦＦする制御信号の場合は、制御部１８は、レベル調整部２０に第１のレベルと第２のレベルを周期的に繰り返す矩形波とされた第１レベル制御信号を送る。これにより、レベル調整部２０においてＢＳ／ＣＳ−ＩＦ系のＴＶ信号が第１レベル制御信号（矩形波）により振幅変調されて、第１レベル制御信号の周期で周期的にレベル変動されて出力されるようになる。また、自局宛の制御信号がＢＳ／ＣＳ−ＩＦ系のＴＶ信号の視聴をＯＮする制御信号の場合は、制御部１８は、レベル調整部２０に所定の一定レベルとされた第２レベル制御信号を送る。これにより、レベル調整部２０においてＢＳ／ＣＳ−ＩＦ系のＴＶ信号が第２レベル制御信号のレベルに応じてレベル制御されて出力されるようになる。
【００１４】
さらに、自局宛の制御信号がＶ／ＵＨＦ系のＴＶ信号のＴＶ信号の視聴をＯＦＦする制御信号の場合は、制御部１８は、レベル調整部２３に第１のレベルと第２のレベルを周期的に繰り返す矩形波とされた第１レベル制御信号を送る。これにより、レベル調整部２３においてＶ／ＵＨＦ系のＴＶ信号が第１レベル制御信号（矩形波）により振幅変調されて、第１レベル制御信号の周期で周期的にレベル変動されて出力されるようになる。また、自局宛の制御信号がＶ／ＵＨＦ系のＴＶ信号の視聴をＯＮする制御信号の場合は、制御部１８は、レベル調整部２０に所定の一定レベルとされた第２レベル制御信号を送る。これにより、レベル調整部２０においてＶ／ＵＨＦ系のＴＶ信号が第２レベル制御信号のレベルに応じてレベル制御されて出力されるようになる。
【００１５】
ＯＵＴ２８に接続されるＴＶ受像機には、ＡＧＣ回路が内蔵されている。これはＴＶ受像機が設置された地域の電界により受信レベルが様々だったり、空間伝送路上にある反射物の影響、例えば飛行機によるフラッタ障害や海の干満差によるもの、季節性のフェージングなどに起因する障害などからくるレベル変動を吸収させる必要があるためである。これらのレベル変動は時定数が数十Ｈｚより長く、ＴＶ受信機もこの時定数に追従するようになっている。しかし、この時定数に比べて短い周期でレベルの変化があった場合はＴＶ受信機がレベル変動に追従できなくなり画像に乱れが生じ視聴に耐えない画像となることの知見を得た。特に、デジタル放送ではエラーとなり画像再生することができない。この際のレベル変化の周波数は数百Ｈｚ以上でレベル変動差は１０〜２０ｄＢ程度で画像が乱れることが確かめられた。本発明にかかる映像配信用伝送機器１では、この現象を利用して映像配信用伝送機器１からの出力を数百Ｈｚ以上の周波数でレベル変動させることにより、ＴＶ視聴を出来なくさせるようにしている。すなわち、第１レベル制御信号とされる発振信号の発振周波数は数百Ｈｚ以上とされ、好適には１ｋＨｚ〜２ｋＨｚ程度とされる。
さらに、ＦＳＫ信号受信部１６がＦＳＫ制御信号を受信できないときは、制御部１８はＡＭＰ２５〜ＡＭＰ２７の電源をオフする制御を行うことにより、消費電力を低減させるようにしても良い。
【００１６】
次に、解析部ＣＰＵ１７はＢＳ／ＣＳ−ＩＦ系のＴＶ信号の視聴を制御する制御信号（ＢＳ／ＣＳ−ＩＦ）と、Ｖ／ＵＨＦ系のＴＶ信号のＴＶ信号の視聴を制御する制御信号（Ｖ／ＵＨＦ）との２つの制御信号を制御部１８に出力する。制御部１８は、制御信号（ＢＳ／ＣＳ−ＩＦ）が入力されてＢＳ／ＣＳ−ＩＦ系のレベル調整部２０のレベル制御を行う第１制御部１８−１と、制御信号（Ｖ／ＵＨＦ）が入力されてＶ／ＵＨＦ系のレベル調整部２３のレベル制御を行う第２制御部１８−２との２系統を備えている。第１制御部１８−１と第２制御部１８−２との回路構成は同一とされている。また、レベル調整部２０とレベル調整部２３とは同一の回路構成とされている。そこで、図２に第１制御部１８−１とレベル調整部２０の回路図を図２に示す。また、レベル調整部２０の制御動作を図３の図表に示す。
【００１７】
図２に示す第１制御部１８−１およびレベル調整部２０の回路を図３に示す図表を参照しながら説明する。第１制御部１８−１において、解析部ＣＰＵ１７により検出された自局の制御信号の内の制御信号（ＢＳ／ＣＳ−ＩＦ）は抵抗Ｒ２を介してスイッチング用のトランジスタＴＲ１のベースに入力される。この制御信号（ＢＳ／ＣＳ−ＩＦ）のレベルに応じてトランジスタＴＲ１がオン／オフされる。トランジスタＴＲ１のエミッタはアースされ、コレクタは発振回路部ＯＳＣを構成しているインバータＩＮＶの入力に接続されている。これにより、トランジスタＴＲ１のオン／オフに応じて発振回路部ＯＳＣの入力側がオープンあるいはアースされ、発振回路ＯＳＣが発振するか停止されるかが制御される。この発振回路部ＯＳＣは、インバータＩＮＶと、インバータＩＮＶの入力と出力間に接続された負帰還抵抗Ｒ３と、インバータＩＮＶの入力とアース間に接続されたコンデンサＣ４とにより構成され、抵抗Ｒ３とコンデンサＣ４との時定数により発振周波数が決定される。発振回路ＯＳＣの出力は抵抗Ｒ４を介してスイッチング用のトランジスタＴＲ２のベースに入力される。トランジスタＴＲ２のエミッタはアースされ、コレクタはレベル調整部２０への出力とされ、コレクタとアース間にはバイパスコンデンサＣ５が接続されコレクタのインピーダンスが高周波的に小さくされている。なお、発振回路ＯＳＣの出力のレベルに応じてトランジスタＴＲ２がオン／オフされる。
【００１８】
レベル調整部２０は、ＨＰＦ１９からのＢＳ／ＣＳ−ＩＦ系のＴＶ信号が、入力端子（ＲＦ  ＩＮ）に入力される。また、電源Ｖｃｃが供給される端子と制御電圧Ｖｓが供給される端子を備えている。入力端子に入力されたＢＳ／ＣＳ−ＩＦ系のＴＶ信号は、直列接続されたコンデンサＣ１およびコンデンサＣ２を介して直列接続された２本の第１ＰＩＮダイオード（ＰＩＮ１）および第２ＰＩＮダイオード（ＰＩＮ２）に入力されると共に、コンデンサＣ１を介して直列接続された２本の第３ＰＩＮダイオード（ＰＩＮ３）および第４ＰＩＮダイオード（ＰＩＮ４）に入力される。コンデンサＣ１とコンデンサＣ２との接続点に抵抗Ｒ１を介して例えば約１２Ｖの電源Ｖｃｃが供給され、コンデンサＣ２とＰＩＮ１のアノードとの接続点にチョークコイルＣＨ１を介して制御電圧Ｖｓが供給されている。制御電圧Ｖｓは可変することができ、例えば約２Ｖ〜１２Ｖの間で可変することができる。ＰＩＮ３のカソードとＰＩＮ４のアノードとの接続点とアース間にコンデンサＣ６が接続され、当該接続点のインピーダンスが高周波的に小さくされている。また、ＰＩＮ２のカソードとＰＩＮ４のカソードとが接続されて、その出力はコンデンサＣ３を介して出力端子（ＲＦ  ＯＵＴ）に出力されている。出力端子（ＲＦ  ＯＵＴ）からの出力は、ＡＭＰ２５に入力される。ＰＩＮ２のカソードとＰＩＮ４のカソードとの接続点は抵抗Ｒ５を介して第１制御部１８−１の出力であるトランジスタＴＲ２のコレクタに接続されている。
【００１９】
第１制御部１８−１に入力された制御信号（ＢＳ／ＣＳ−ＩＦ）がハイレベル（High）の時は、ＢＳ／ＣＳ−ＩＦ系のＴＶ信号の視聴をＯＮする制御信号とされており、トランジスタＴＲ１がオンして発振回路部ＯＳＣの入力側がアースされる。これにより、発振回路ＯＳＣの発振は停止され、発振回路ＯＳＣの出力はハイレベル（High）となる。この発振回路部ＯＳＣの出力は抵抗Ｒ４を介してトランジスタＴＲ２のベースに入力され、トランジスタＴＲ２はオンする。これにより、ＰＩＮ２のカソードとＰＩＮ４のカソードとが抵抗Ｒ５およびトランジスタＴＲ２のコレクタ−エミッタを介してアースされる。従って、電源Ｖｃｃから抵抗Ｒ１を介してＰＩＮ３とＰＩＮ４とに電流が供給されて導通し、ＰＩＮ３とＰＩＮ４のインピーダンスが低くなる。また、制御電圧ＶｓからチョークコイルＣＨ１を介してＰＩＮ１およびＰＩＮ２に電流が供給されて導通し、ＰＩＮ１とＰＩＮ２のインピーダンスが低くなる。この結果、入力端子（ＲＦ  ＩＮ）に入力されたＢＳ／ＣＳ−ＩＦ系のＴＶ信号はインピーダンスが低くなったＰＩＮ１〜ＰＩＮ４を通過して出力端子（ＲＦ  ＯＵＴ）から出力されるようになる。ただし、制御電圧Ｖｓが可変されるとＰＩＮ１およびＰＩＮ２のインピーダンスが変化することから、制御電圧Ｖｓの大きさに応じて出力端子（ＲＦ  ＯＵＴ）から出力されるＢＳ／ＣＳ−ＩＦ系のＴＶ信号の出力レベルを制御することができる。すなわち、制御電圧Ｖｓを最大（例えば、約１２Ｖ）にすると出力端子（ＲＦ  ＯＵＴ）から出力されるＢＳ／ＣＳ−ＩＦ系のＴＶ信号の出力レベルは最大となり、制御電圧Ｖｓを最小（例えば、約２Ｖ）にすると出力端子（ＲＦ  ＯＵＴ）から出力されるＢＳ／ＣＳ−ＩＦ系のＴＶ信号の出力レベルは最小となる。
【００２０】
また、第１制御部１８−１に入力された制御信号（ＢＳ／ＣＳ−ＩＦ）がローレベル（Low）の時は、ＢＳ／ＣＳ−ＩＦ系のＴＶ信号の視聴をＯＦＦする制御信号とされており、トランジスタＴＲ１がオフして発振回路部ＯＳＣの入力側はオープン状態となる。これにより、発振回路ＯＳＣが発振し、発振回路ＯＳＣからはハイレベルとローレベルとが周期的に繰り返される所定周波数の矩形波が出力される。この発振回路部ＯＳＣの発振出力は抵抗Ｒ４を介してトランジスタＴＲ２のベースに入力され、トランジスタＴＲ２は周期的にオン／オフを繰り返す。トランジスタＴＲ２がオフしている期間は、ＰＩＮ２のカソードとＰＩＮ４のカソードとが直流的にオープン状態となって電流が流れなくなり、ＰＩＮ３とＰＩＮ４とが非導通になってインピーダンスが高くなると共に、ＰＩＮ１とＰＩＮ２も非導通になってインピーダンスが高くなる。すると、入力端子（ＲＦ  ＩＮ）に入力されたＢＳ／ＣＳ−ＩＦ系のＴＶ信号はインピーダンスが高くなったＰＩＮ１〜ＰＩＮ４により大きく減衰を受けて出力端子（ＲＦ  ＯＵＴ）から出力されるようになる。また、トランジスタＴＲ２がオンしている期間は、上述したようにＰＩＮ２のカソードとＰＩＮ４のカソードとがトランジスタＴＲ２を介してアースされ、ＰＩＮ３とＰＩＮ４とが導通してインピーダンスが低くなると共に、ＰＩＮ１とＰＩＮ２も導通してインピーダンスが低くなる。この結果、入力端子（ＲＦ  ＩＮ）に入力されたＢＳ／ＣＳ−ＩＦ系のＴＶ信号はインピーダンスが低くなったＰＩＮ１〜ＰＩＮ４を減衰することなく通過して出力端子（ＲＦ  ＯＵＴ）から出力されるようになる。
【００２１】
この場合、トランジスタＴＲ２は周期的にオン／オフを繰り返すことから、ＰＩＮ１〜ＰＩＮ４は周期的に導通／非導通を繰り返すようになる。これにより、入力端子（ＲＦ  ＩＮ）に入力されたＢＳ／ＣＳ−ＩＦ系のＴＶ信号はＰＩＮ１〜ＰＩＮ４が導通したときは減衰を受けることなく出力端子（ＲＦ  ＯＵＴ）から出力されるが、ＰＩＮ１〜ＰＩＮ４が非導通の時は大きく減衰を受けて出力端子（ＲＦ  ＯＵＴ）から出力される。すなわち、入力端子（ＲＦ  ＩＮ）に入力されたＢＳ／ＣＳ−ＩＦ系のＴＶ信号は発振回路部ＯＳＣの発振出力に応じて周期的に出力レベルが変動されて出力端子（ＲＦ  ＯＵＴ）から出力されるようになる。この場合、制御電圧Ｖｓが可変されるとＰＩＮ１およびＰＩＮ２のインピーダンスが変化することから、制御電圧Ｖｓの大きさに応じて出力端子（ＲＦ  ＯＵＴ）から出力されるＢＳ／ＣＳ−ＩＦ系のＴＶ信号のレベル変動差が決まるようになる。
なお、制御信号（Ｖ／ＵＨＦ）が入力されてＶ／ＵＨＦ系のレベル調整部２３のレベル制御を行う第２制御部１８−２とレベル調整部２３との回路図は、図２に示す回路図と同様とされ、図３に示す動作と同様の動作を行うようになる。また、発振回路部ＯＳＣの発振周波数は数百Ｈｚ以上とされ、好適には１ｋＨｚないし２ｋＨｚとされる。
【００２２】
図２に示す回路図とされた第１制御部１８−１とレベル調整部２０における減衰量の周波数特性を図４に示す。
図４において、２点鎖線で示す減衰量の周波数特性は、制御電圧Ｖｓを可変して最大電圧（例えば、約１２Ｖ）とした際の特性であり、１点鎖線で示す減衰量の周波数特性は、制御電圧Ｖｓを可変して最小電圧（例えば、約２Ｖ）とした際の特性であり、制御電圧Ｖｓを可変することにより、一点鎖線と二点鎖線との間の任意の減衰量に設定することができる。また、実線で示す減衰量の周波数特性は、トランジスタＴＲ２がオフしてＰＩＮ２およびＰＩＮ４のカソードがオープンされた状態の減衰量の周波数特性である。図４を参照すると、制御電圧Ｖｓを最大電圧（例えば、約１２Ｖ）とした場合は、約９０ＭＨｚないし約２６００ＭＨｚの周波数帯においてほぼ０ｄＢの減衰量とされ、高域になると若干減衰するようになる。また、制御電圧Ｖｓを最小電圧（例えば、約２Ｖ）とした場合は、約９０ＭＨｚにおいて約１０ｄＢの減衰量とされ、周波数が高くなるにつれて減衰量が緩やかに増加していき約２６００ＭＨｚにおいて約１２ｄＢの減衰量となっている。さらに、トランジスタＴＲ２がオフしてＰＩＮ２およびＰＩＮ４のカソードがオープン状態の場合は、約９０ＭＨｚにおいて約３３ｄＢの減衰量とされ、周波数が高くなるにつれて減衰量が次第に減少していき約２６００ＭＨｚにおいて約１９ｄＢの減衰量となっている。
【００２３】
なお、制御信号（Ｖ／ＵＨＦ）が入力されてＶ／ＵＨＦ系のレベル調整部２３のレベル制御を行う第２制御部１８−２とレベル調整部２３の減衰量の周波数特性においても、図４に示す減衰量の周波数特性と同様になる。
このように、発振している発振回路ＯＳＣの発振出力により制御されるレベル調整部２０（２３）では、制御電圧Ｖｓを最大電圧（例えば、約１２Ｖ）とした場合にＴＶ信号に与えることができるレベル変動差は、一点鎖線で示す最小の減衰量とオープン状態の減衰量との差となり、少なくとも約１８ｄＢ以上となる。また、制御電圧Ｖｓを最小電圧（例えば、約２Ｖ）とした場合には、ＴＶ信号に与えられるレベル変動差は、上記と同様とされ少なくとも約８ｄＢ以上となる。これにより、発振している発振回路ＯＳＣの発振出力により制御されるレベル調整部２０（２３）を経由したＴＶ信号を視聴しても画像が乱れたり、画像再生ができなくなって視聴することができないようになる。すなわち、本発明にかかる映像配信用伝送機器においては、アナログ放送であってもデジタル放送であっても視聴制限を行うことができる。
さらに、制御電圧Ｖｓを可変することにより、一点鎖線と二点鎖線との間とされる約０ｄＢから約１０ｄＢの間の任意の減衰量に設定することができる。
【産業上の利用可能性】
【００２４】
以上説明した本発明にかかる映像配信用伝送機器においては、従来のＯＮ／ＯＦＦ制御による視聴制限では、６０ｄＢ以上のアイソレーションが必要であったが、１０〜２０ｄＢ程度のレベル変動をＴＶ信号に与えることにより視聴制限が可能になり、回路が簡便かつ廉価になる。また、視聴をＯＮする場合（発振回路ＯＳＣは発振停止）は、レベル調整部２０（２３）において制御電圧Ｖｓを可変することにより出力レベルを調整することができる。このように、本発明にかかる映像配信用伝送機器においては、出力レベルを調整するレベル調整部２０（２３）を視聴制限用の回路としても兼用している。
また、本発明にかかる映像配信用伝送機器においては、従来のＯＮ／ＯＦＦ制御方式の欠点であった受信者が増幅器を用いても視聴可能になることが無い。
さらに、利得変動させる周期を遅くさせたり複数周期を組み合わせたりすると映像や音声にノイズが入るが内容は判別できる程度とすることができるようになる。これを利用し視聴者に対してアピール効果を持たせ購買意欲を誘うこともできる。
さらにまた、ＦＳＫ信号受信部１６がＦＳＫ制御信号を受信できないときは、制御部１８はＡＭＰ２５〜ＡＭＰ２７の電源をオフする制御を行うことにより、確実に視聴制限を行えると共に、消費電力を低減させることができる。
上記の説明では、発振回路ＯＳＣはインバータにより構成したが、これに限ることはなくＯＰアンプを用いた発振回路や、トランジスタ等の能動素子を用いた発振回路としても良い。
【符号の説明】
【００２５】
１  映像配信用伝送機器、１０  光ファイバ、１１  フォトダイオード、１２  ＡＧＣ回路、１３  ＡＭＰ、１４  ＡＧＣ、１５  分岐器、１６  ＦＳＫ信号受信部、１７  解析部ＣＰＵ、１８  制御部、１８−１  第１制御部、１９  ＨＰＦ、２０  レベル調整部、２１  ＨＰＦ、２２  ＬＰＦ、２３  レベル調整部、２４  ＬＰＦ、２５〜２７  ＡＭＰ、２８  出力端子、１００  映像配信用伝送機器、１１０  光ファイバ、１１１  フォトダイオード、１１２  ＡＧＣ回路、１１３  ＡＭＰ、１１４  ＡＧＣ、１１５  分岐器、１１６  ＨＰＦ、１１７  ＧＣ、１１８〜１２０  ＡＭＰ、１２１  ＨＰＦ、１２２  ＬＰＦ、１２３  ＧＣ、１２４〜１２６  ＡＭＰ、１２７  ＬＰＦ、１２９  ＦＳＫ信号受信部、１３０  解析部ＣＰＵ、１３１  制御部
【図１】
0005575586.tif 000002
【図２】
0005575586.tif 000003
【図３】
0005575586.tif 000004
【図４】
0005575586.tif 000005
【図５】
0005575586.tif 000006